(57)【要約】【課題】二つのクランプによって固定するコネクターを有するカメラ雲台を提供する。【解決手段】二つのクランプによって固定するコネクターを有するカメラ雲台において、コネクターは、左クランプ、右クランプ、振り子、ヒンジ、ツイストスプリングから構成される連動鎖錠機構を有する。カメラ雲台は、一側に伸縮ハンドルを有する。カメラ雲台は、底部の球座の下に回転盤を有する。回転盤は、外円周に円形の目盛りを有する。【選択図】図１
2009505122.tif 000002
【特許請求の範囲】
【請求項１】
カメラ雲台は球体、雲台座及びハンドルを含み、球体は上向きを呈し、雲台座は球体の上に嵌合され、球体はハンドルによって雲台座に固定され、カメラ雲台は底部に三脚架との連結及び固定に用いる雌ねじを有し、頂部に迅速な連結が可能なコネクターを有し、コネクターは上端にカメラとの連結に用られるアッセンブリを有する二つのクランプによって固定されるコネクターを有するカメラ雲台であって、
雲台座の上部に位置する迅速な連結が可能なコネクターの機能アッセンブリは、左クランプ（１８）、右クランプ（１７）、振り子（１６）、ヒンジ（１５）、ツイストスプリング（１９）から構成される二つのクランプによる連動鎖錠機構を有し、
カメラ雲台座は、一側に重なる伸縮式ハンドル機構を有し、
カメラ雲台は、底部の球体（１０）の柄部に回転盤機構を有し、
迅速な連結が可能なコネクターは、カメラと雲台との連結に用いる旋転つまみ機構を有することを特徴とする二つのクランプによって固定するコネクターを有するカメラ雲台。
【請求項２】
コネクターの機能アッセンブリは、右クランプ（１７）、左クランプ（１８）、振り子（１６）、ヒンジ（１５）、ツイストスプリング（１９）、スプリング（０８）とシーソー（０７）を含み、
右クランプ（１７）と左クランプ（１８）は、軸ピンの中間部の孔とピンとを可能性を保持したまま連結することによって雲台座（０１）に固定され、テコ原理の支点を構成し、
左右のクランプは、一端がツイストスプリング（１９）の弾力によって押さえられ、他端が操作時の手の作用力によって押さえられ、
左クランプと右クランプは、ピン軸によってヒンジ（１５）の孔に連結され、
振子（１６）は、一端の孔が軸ピンによってヒンジに連結され、
振り子（１６）の陥凹部は、左クランプ（１８）の突出部に対応するため、締め付ければ振り子の陥凹部と左クランプの突出部とを噛み合わせることが可能であり、
シーソー０７は、一端の孔がピンによって蓋板（０５）に連結され、
スプリング（０８）は、シーソー（０７）の中間部の陥凹溝に装着され、
シーソー（０７）の表面は、ピン軸（０６）に接触することを特徴とする請求項１に記載の二つのクランプによって固定するコネクターを有するカメラ雲台。
【請求項３】
重なる伸縮式ハンドルは、ハンドル（２６）、可動ハンドル（２８）、プラスチックのスリーブ（２９）、誘導ピン（２７）から構成され、
可動ハンドル（２８）は、ハンドル（２６）の上に装着され、
可動ハンドル（２８）は、プラスチックのスリーブ（２９）によって被覆され、
ハンドル（２６）と可動ハンドル（２８）は、固定ピンとピン溝を別々に有し、
ハンドル（２６）と可動ハンドル（２８）は、ピン（２５）との組み合せによってねじり力を伝動することを特徴とする請求項１に記載の二つのクランプによって固定するコネクターを有するカメラ雲台。
【請求項４】
回転盤機構は球座回転盤（１３）、回転盤座（３２）、目盛り（３３）、位置決めに用いる回転盤（３０）と係止部（３６）から構成され、
位置決めに用いる回転盤（３０）は、回転盤の位置決めリング（１４）によって被覆され、かつ回転盤座（３２）に固定され、
球座回転盤（１３）は、ボルトによって球体（１０）に締め付けられることを特徴とする請求項１に記載の二つのクランプによって固定するコネクターを有するカメラ雲台。
【請求項５】
回転盤（３２）は、位置決めに用いる旋転つまみ（３４）と連結され、
回転つまみ（３４）は、ボルト（３５）と係止部（３５）によって回転盤を締め付けたり緩めたりすることを特徴とする請求項４に記載の二つのクランプによって固定するコネクターを有するカメラ雲台。
【請求項６】
方形のパッド（０２）は、旋転つまみ（０１）上に装着され、
旋転つまみ（０１）は、下端面にカメラとの締め付けに用いる陥凹溝を有し、
矩形のパッドは表面にプラスチックのパッドを有することを特徴とする請求項１に記載の二つのクランプによって固定するコネクターを有するカメラ雲台。
【請求項７】
旋転つまみ（０１）上に装着されるパッド（０２）は、矩形または多角形を呈することを特徴とする請求項６に記載の二つのクランプによって固定するコネクターを有するカメラ雲台。
【発明の詳細な説明】
【技術分野】
【０００１】
本考案は、撮影器材の技術分野におけるコネクター付きカメラ雲台に関し、詳しくは、コネクターに固定に用いる二つのクランプ、位置決め及び連結に用いる矩形の旋転つまみと回転盤を有するカメラ雲台に関する。
【背景技術】
【０００２】
カメラと三脚架を連結するには連結板、連結回転盤と回転台等の補助装置を使用することが必要である。このような装置はサイズが比較的大きいため、カメラにうまく固定しにくいだけでなく、携帯に便利ではない。また位置決め装置がないため、カメラを安定させることができず、安全性が乏しい。一般的によく使用されているカメラ雲台は、三次元の雲台と逆さ球形に設計された球形の雲台などがあり、前者は操作の際に三つの方向によって別々に調整することが必要であり、かつ操作に比較的時間がかかるため、瞬間的な景物を即時に捉えるのに非常に不便である。
【０００３】
逆さ球形に設計された雲台は、カメラ架の上に固定され、その球体が下向きを呈し、カメラは球体の上に固定される。この構造の欠点は連結操作が複雑で、挟む力が足りず、安定性が良くないだけでなく大角度を調整する際に二つの方向によって調整を行わなければならないため使用に不便であることである。また、カメラと三脚架を連結して多方向の撮影を行う場合、操作が非常に複雑で、効果を達成するためにハンドルの位置を頻繁に変える必要がある。
【０００４】
これに対し、本発明者楊  永堅が掲示した迅速な連結が可能なコネクター付きカメラ雲台（中華人民共和国ＣＮ２００４１００１５００３９明細書）は、カメラ雲台に迅速な連結が可能なコネクターを有し、構造が緊密で、安全性が良好で、全方向の連続撮影を行うことが可能である。
しかし、このカメラ雲台の欠点は挟む力が足りず、体積が軽量及び小型でなく、ハンドルの移動力が小さい。さらに、信頼性と移動及び位置決め性能をより高める必要がある。
【発明の開示】
【発明が解決しようとする課題】
【０００５】
本発明の主な目的は、固定に用いる二つのクランプを有するカメラ雲台を提供することにある。
カメラ雲台は固定に用いる二つのクランプ、位置決め及び連結に用いる矩形の旋転つまみと回転盤を有し、雲台は連結が迅速で、操作が簡単で、構造が緊密で、回転がスムーズなだけでなく、全方向の撮影が可能であり、挟む力が大きく、体積がより軽量及び小型化され、安全性がより高い。
【課題を解決するための手段】
【０００６】
本発明を実現する手段は、コネクターに固定に用いる二つのクランプ、位置決め及び連結に用いる矩形の旋転つまみと回転盤を有するカメラ雲台において、カメラ雲台が球体、雲台座とハンドルを含み、球体が上向きを呈し、雲台座が球体の上に嵌合されることである。球体はハンドルによって雲台座に固定される。雲台は、底部に三脚架との連結及び固定に用いるめねじを有する。雲台は、頂部に迅速な連結が可能なコネクターを有する。コネクターは上端にカメラとの連結に用いるアッセンブリを有する。コネクターの箱体は機能アッセンブリを有する。その特徴は、迅速な連結が可能なコネクターの機能アッセンブリは左クランプ、右クランプ、振り子、ヒンジ、ツイストスプリングから構成される連動鎖錠機構を有し、カメラ雲台は一側に重なる伸縮式ハンドル機構を有し、カメラ雲台は底部の球座の下の柄部に回転盤機構を有し、迅速な連結が可能なコネクターはカメラと雲台との連結に用いる旋転つまみ機構を有することである。
【０００７】
迅速な連結が可能なコネクターの機能アッセンブリは、右クランプ、左クランプ、振り子、ヒンジ、ツイストスプリング、スプリングとシーソーを含む。左クランプと右クランプは、中間部の孔がピンによって雲台座に固定されるため、軸ピンに沿って回転することが可能であり、クランプは前端がツイストスプリングの圧力を受け、後端が操作時の作用力を受ける。右クランプは、上方が軸ピンによってヒンジの孔に連結され、振り子は、中間部の孔がピンによって雲台座の上に固定されるため、軸ピンに沿って回転することが可能である。振り子は前端の孔が軸ピンによってヒンジの孔とへ連続される。振り子は、中下部にクランプに対応する陥凹溝を有するため、しっかり締め付けて陥凹溝と左クランプの突出部とを噛み合せれば自動的にロックし、緩みを防止する作用を果たすことが可能である。緩めれば陥凹溝と突出部とを分離させることが可能である。シーソーは、一端の孔がピンによって蓋板に連結される。スプリングは、シーソーの中間部の陥凹溝に装着される。シーソーの表面は、ピン軸に接触する。左クランプと右クランプが開けられた場合、シーソーはスプリングの作用によって跳ね上がって左クランプに突き当たり、右クランプはヒンジの連動作用によって開いた位置に静止する。このとき、ピン軸は、シーソーによって最高の位置まで持ち上げられる。
【０００８】
回転盤は、旋転つまみの制御によって回転盤を迅速に締め付けるか緩めることが可能な位置制限機構を有する。
コネクターは、頂部の旋転つまみの上に矩形のパッドを被せて連結アッセンブリを構成し、かつカメラのねじ山と噛み合う旋転つまみのねじ山と矩形の塊の上に接着されるプラスチックのパッドとを有する。ピンが矩形の塊によって旋転つまみの陥凹溝に直ちに差し込まれ、カメラと雲台がしっかり締め付けられる場合、旋転つまみの上の錐面は左クランプと右クランプの錐面に密着する。
【０００９】
本発明の長所は、構造が緊密で、挟む力が大きく回転がスムーズで、全方向の撮影が可能で、携帯が便利で、通用性が高いだけでなく各種のカメラ、カメラの三脚架と迅速に連結することを可能にすることである。また、二つのクランプは、強力な挟む力によってロングレンズカメラを角度４５°の空間位置に安定させることが可能であり、ハンドルは重なる伸縮式ハンドルであるため、回転力が大きい。
【発明を実施するための最良の形態】
【００１０】
図１から図５に示すように、本発明はコネクターに固定に用いる二つのクランプ、位置決め及び連結に用いる矩形の旋転つまみ、回転盤と重なる伸縮式ハンドルとを有するカメラ雲台で、コネクター、雲台と雲台の下部に装着される回転盤など三つの部分を含む。回転盤は、底部に三脚架との連結及び固定に用いるめねじを有する。コネクターは、頂部にカメラとの連結に用いる矩形のパッド０２と旋転つまみ０１を有する。矩形のパッド０２とコネクターの頂部の陥凹溝に対し位置決めを行ってめねじとの連結関係を築き、旋転つまみ０１とカメラのねじ孔を締め付けることによりカメラ、雲台と脚架とを確実に連結することが可能である。
【００１１】
カメラ雲台は、球体１０、雲台座０４とハンドル２６を含む。球体は上向きを呈する。雲台座は球体の上に嵌合される。球体１０はハンドル２６によって雲台座０４に固定される。コネクターは、箱体の蓋０３と雲台０４の間に位置する機能アッセンブリから構成される。コネクター中のアッセンブリにおいて、図２に示すように左クランプ１８と右クランプ１７は中間部の孔がピンによって活動性を保持したまま連続され、ピンは雲台座０４の上に固定され、ヒンジ１５は両端の孔がピン軸によって右クランプ１７と振り子１６に別々に活動性を保持したまま連結され、かつ、ねじによって雲台座０４の上に固定される。左クランプの頂部は、振り子１６の中下部の陥凹溝に係止される。左クランプと右クランプは、復元に用いるツイストスプリング１９によって押さえられる。図３に示すように、シーソー０７は、ピンによって蓋板０５の上に活動性を保持したまま連結され、その上方がピン軸０６に突き当たり、下方の中間部がスプリング０８を押さえ、端部がクランプ１８に接触する。雲台の工作面にカメラを押し付ける場合、カメラの上に締め付けられる旋転つまみはピン軸０６を下に押し、ピン軸はシーソー０７を下に押し、シーソー０７の頂端と左クランプ１８とは分離する。左クランプと右クランプは、ツイストスプリング１９の作用によって旋転つまみの錐面に向かって押される。このとき振り子の陥凹溝と左クランプ１８は、振り子１６とヒンジ１５の連動作用によって噛み合って締め付けられることによってコネクター中の連動鎖錠機構を構成する。
【００１２】
図３に示すように、雲台の重なる伸縮式ハンドルは、ハンドル２６、可動ハンドル２８とプラスチックのスリーブ２９から構成される。可動ハンドル２８は、ハンドル２６の上に装着される。可動ハンドル２８は、プラスチックのスリーブ２９によって被覆される。ハンドル２６は固定ピンを有する。可動ハンドル２８はピン溝を有する。ハンドル２６と可動ハンドル２８中のピンとピン溝とはピン２７との組み合せによってねじり力を伝動する。ハンドル２６、２８はボルト２５、微調整に用いるめねじ２４、めねじ２３、スプリング２２及び耐磨耗部２１の順によって左の位置決め部２０に突き当たる。ハンドル２６を回す、即ちボルト２５を動かすことにより棒端に位置するスチールボールを押し、続いて左の位置決め部２０を圧迫することにより球体１０を雲台座０４の上に緊密に固定する。球体１０は、右側に左側に対応する右の位置決め部と位置決めに用いる雌ねじとを有する。ハンドル２６は、微調整に用いるめねじ２４によって球体１０を回転させる際の減衰を調整することが可能である。ハンドルの回転力を増大させる必要がある場合、可動ハンドル２８をハンドル２６の中から引き出し、ピン２７との組み合せによってハンドルの長さを増加させれば伝動するねじり力を増大させるため、使用の際に力を容易に入れて締め付けることが可能である。
【００１３】
雲台の球体は、下に回転盤３０を有する。回転盤１３はねじとめねじ３７によって球体１０と位置決めに用いる回転盤３０の間に固定される。目盛り３３は、回転盤３２の溝の中に接着される。位置決めに用いる回転盤３０は、位置決めリング１４によって回転盤座３２の孔に位置決めされる。旋転つまみ３４は、ボルト３５と係止部３６によって底座３２の一側に装着される。旋転つまみ３４を締め付けたり緩めたりすることにより回転盤３０の回転角度を制御することが可能である。球体１０は、垂直に貫通する円形の孔の頂端において美観効果と防塵作用を果たすキャップ９を有する。
【００１４】
本発明の具体的な使用方法は次の通りである。
１、旋転つまみ０１は、矩形のパッド０２とプラスチックのパッド０２Ａとをカメラの底面に密着させることにより締め付けを行う。パッド０２は、矩形または多角形を呈する。プラスチックのパッドは、カメラの底面を保護し、摩擦力を増加させるため、ピン軸０６が旋転つまみ０１の端面によって押される場合、矩形のパッドと蓋０３は位置決めされ、ピン軸０６はシーソー０７を押さえ、シーソー０７は左クランプ１８から分離する。このとき、左クランプ１８と右クランプ１７はツイストスプリング１９の作用によって旋転つまみ０１に向かって押され、旋転つまみ０１の錐面を押さえることによりカメラを雲台上に緊密に締め付ける。
【００１５】
２、可動ハンドル２８は、ピン溝を有する。ハンドルは、固定ピンを有する。可動ハンドル２８を回転させてピン２７によってねじり力を伝動すればボルト２５を回転させて前進させることが可能である。スチールボールｓｔｄ７を押して耐磨耗部２１を押さえれば押さえ付け部２０によって球体１０を押さえることが可能である。
【００１６】
３、微調整に用いるめねじ２４はめねじ２３を押さえ、めねじ２３は皿形のスプリング２２を押さえ、ハンドルアッセンブリ２６、２７、２８、２９を取り外し、微調整に用いるめねじを回すことにより所要の締め付ける力を調整することが可能であり、また、微調整に用いるめねじを逆方向に回転させる場合、ねじｓｔｄ４はピンｓｔｄ３に突き当たり、微調整に用いるめねじの動きを押さえることにより締め付ける力の緩めを防止する。
【００１７】
４、締め付ける力を増大させればハンドルアッセンブリ２６、２７、２８、２９を引き出すことが可能であるため、操作に便利である。
【００１８】
５、旋転つまみ３４を押すとボルト３５が係止部３６を動かす。このとき係止部３６は回転盤の位置決めリング１４を動かすことにより回転盤３０を迅速に締め付ける。また水平角度３６０°回転する必要がある場合、旋転つまみ３４を緩めさえすればよい。
【図面の簡単な説明】
【００１９】
【図１】本発明の一実施形態によるカメラ雲台の側面の断面図である。
【図２】本発明の一実施形態によるカメラ雲台の二つのクランプによる連結機構の作動を示す模式図である。
【図３】本発明の一実施形態によるカメラ雲台のハンドルの構造を示す模式図である。
【図４】本発明の一実施形態によるカメラ雲台の図３のＡ-Ａ線に沿った断面図である。
【図５】本発明の一実施形態によるカメラ雲台の二つのクランプによる連結機構の分解図である。
【図１】
2009505122.tif 000003
【図２】
2009505122.tif 000004
【図３】
2009505122.tif 000005
【図４】
2009505122.tif 000006
【図５】
2009505122.tif 000007
【国際調査報告】
2009505122.tif 000008
2009505122.tif 000009
2009505122.tif 000010
2009505122.tif 000011
2009505122.tif 000012
2009505122.tif 000013